(57)【要約】      （修正有）【課題】誤使用で集塵ケースを外した状態で運転した際に、本体の吸引口が紙などで塞がれた場合での電動送風機の異常発熱を防ぐアップライト型電気掃除機を提供すること。【解決手段】掃除機本体の本体吸引口５に係合するフィルター保持体１０を備え、集塵ケースは、集塵ケースの吸気口が掃除機本体の本体吸引口５に連通して掃除機本体に収納され、フィルター保持体１０の開口部の全周囲には第１リブ部が連続して設けられ、かつ前記第１リブ部より延出した第２リブ部がフィルター保持体１０の開口部の下辺を除く範囲に設けたことにより、掃除機本体の本体吸引口５が紙などで塞がれても、第２リブ部の開口部から空気が流入し、電動送風機の異常発熱を未然に防ぐことができる。【選択図】図６
2013226222.tif 000002
【特許請求の範囲】
【請求項１】
吸気口を有し塵埃を捕集する集塵ケースと、
電動送風機を収納し前記電動送風機の吸入口と連通する吸引口と前記集塵ケースを収納する集塵室とを有した掃除機本体と、
前記掃除機本体下方に回動自在に保持され塵埃を吸引する吸込口を有した床ノズルと、
前記掃除機本体の吸引口に係合するフィルター保持体と、を備え、
前記集塵ケースは、前記集塵ケースの吸気口が前記掃除機本体の吸引口に連通する状態で前記掃除機本体に収納され、
前記フィルター保持体の開口部の前記吸引口と反対側の全周囲には第１リブ部が連続して設けられ、かつ前記第１リブ部より延出した第２リブ部が前記フィルター保持体の開口部の下辺を除く範囲に設けられたことを特徴とするアップライト型電気掃除機。
【請求項２】
前記掃除機本体または前記集塵ケースには、前記床ノズルの吸込口を塞いだ際に作動する電動送風機の密閉保護装置が設けられ、
前記第２リブ部を複数個に分割し、この分割によりできた隣接する前記第２リブ部間の開口部の側方向の総面積が、前記電動送風機の密閉保護装置の開口部面積以上になるよう設定した請求項１に記載のアップライト型電気掃除機。
【発明の詳細な説明】
【技術分野】
【０００１】
本発明は、アップライト型電気掃除機に関するものである。
【背景技術】
【０００２】
従来この種のアップライト型掃除機は、掃除機本体に塵埃を捕集する集塵ケースを具備し、電動送風機室と連通する本体吸引通路を備え、本体吸引通路の先端部の吸引口と集塵ケースの吸気口が連通し、かつ塵埃を容易に廃棄するため集塵ケースを掃除機本体から着脱可能な構造としている（例えば特許文献１参照）。
【０００３】
図８は、特許文献１記載された従来のアップライト型掃除機を示すものである。図８に示すように、従来のアップライト型電気掃除機は、掃除機本体２０と、電動送風機２２と、前記電動送風機２２の吸気口に連通する本体吸引口２１と、前記本体吸引口２１と連通する吸気口２３を具備する集塵ケース１９から構成されている。
【先行技術文献】
【特許文献】
【０００４】
【特許文献１】特開２０１１−９２３１７号公報
【発明の概要】
【発明が解決しようとする課題】
【０００５】
しかしながら、前記従来のアップライト型電気掃除機の構成では、誤って集塵ケース１９を外したまま掃除機本体を運転してしまうと、掃除機本体２０の吸引口２１に紙あるいはフィルムなどが容易に張り付く構造であり、その場合、電動送風機２２の風の流れが阻害され電動送風機が異常発熱し、損傷してしまう恐れがあるといった課題を有していた。
【０００６】
本発明は、前記従来の課題を解決するもので、集塵ケース１９を外したまま掃除機本体を運転し、掃除機本体２０の吸引口２１に紙あるいはフィルムなどが張り付き塞がれたとしても、電動送風機２２の風の流れが確保され、異常発熱しないアップライト型電気掃除機を提供することを目的とする。
【課題を解決するための手段】
【０００７】
前記従来の課題を解決するために、本発明のアップライト型電気掃除機は、吸気口を有し塵埃を捕集する集塵ケースと、電動送風機を収納し前記電動送風機の吸入口と連通する吸引口と前記集塵ケースを収納する集塵室とを有した掃除機本体と、前記掃除機本体下方に回動自在に保持され塵埃を吸引する吸込口を有した床ノズルと、前記掃除機本体の吸引口に係合するフィルター保持体と、を備え、前記集塵ケースは、前記集塵ケースの吸気口が前記掃除機本体の吸引口に連通する状態で前記掃除機本体に収納され、前記フィルター保持体の開口部の前記吸引口と反対側の全周囲には第１リブ部が連続して設けられ、かつ前記第１リブ部より延出した第２リブ部が前記フィルター保持体の開口部の下辺を除く範囲に設けたものである。
【０００８】
これによって、掃除機本体の吸引口が紙などで塞がれても、第２リブ部が形成されていない部分である第２リブ部間の隙間から空気が流入し、電動送風機の異常発熱を未然に防ぐことができる。
【０００９】
また、集塵ケースを掃除機本体に装着するとき掃除機本体の吸引口と連通する集塵ケース吸気口を位置ずれなく装着でき、空気漏れによる風量の低下を防ぎ吸い込み力を持続さ
せることができる。
【発明の効果】
【００１０】
本発明のアップライト型電気掃除機は、誤使用で集塵ケースを外した状態のまま運転され、掃除機本体の吸引口が紙などで塞がれた場合での電動送風機の異常発熱を防ぐことができる。また、集塵ケースを掃除機本体に装着するとき掃除機本体の吸引口と連通する集塵ケース吸気口を位置ずれなく装着でき、空気漏れによる風量の低下を防ぎ吸い込み力を持続させることができる。
【図面の簡単な説明】
【００１１】
【図１】本発明の実施形態１におけるアップライト型掃除機の正面図
【図２】同、アップライト型掃除機の側面図
【図３】同、アップライト型掃除機における本体吸引口の要部を示す正面図
【図４】（ａ）本発明の実施形態１、２におけるフィルター保持体の側面図、（ｂ）同、フィルター保持体の正面図、（ｃ）同、フィルター保持体の斜視図
【図５】（ａ）本発明の実施形態２における電動送風機の密閉保護装置の側面図、（ｂ）同、電動送風機の密閉保護装置の正面図
【図６】本発明の実施形態１、２におけるアップライト型掃除機の集塵ケース７を外した状態での運転状態を示した側面図
【図７】同、アップライト型掃除機の集塵ケース７を装着した状態での要部側面図
【図８】従来のアップライト型掃除機の構成を示した斜視図
【発明を実施するための形態】
【００１２】
第１の発明は、吸気口を有し塵埃を捕集する集塵ケースと、電動送風機を収納し前記電動送風機の吸入口と連通する吸引口と前記集塵ケースを収納する集塵室とを有した掃除機本体と、前記掃除機本体下方に回動自在に保持され塵埃を吸引する吸込口を有した床ノズルと、前記掃除機本体の吸引口に係合するフィルター保持体と、を備え、前記集塵ケースは、前記集塵ケースの吸気口が前記掃除機本体の吸引口に連通する状態で前記掃除機本体に収納され、前記フィルター保持体の開口部の前記吸引口と反対側の全周囲には第１リブ部が連続して設けられ、かつ前記第１リブ部より延出した第２リブ部が前記フィルター保持体の開口部の下辺を除く範囲に設けたことにより、掃除機本体の吸引口の前面が紙あるいはフィルム状の異物で覆われ空気の流れが阻害された場合においても、第２リブ部が形成されていない部分である第２リブ部間の隙間から空気が流入し、電動送風機の異常発熱を未然に防ぐことができるものである。
【００１３】
また、第２リブ部を集塵ケースが掃除機本体に装着するときの位置規制ガイドとしての機能を持たすことによって集塵ケースが本体に装着される直前に、掃除機本体の吸引口と連通する集塵ケースの吸気口が正規ではない位置にずれていた場合でも、第２リブ部によって矯正されるため位置ずれなく装着でき、空気漏れによる風量の低下を防ぎ吸い込み力を持続させるものである。
【００１４】
また、特に第２リブ部を吸引口の下辺を除く範囲に設けることにより、集塵ケース下辺を回転軸に回動する集塵ケースの吸気口の下辺が第２リブ部と干渉すること無くより確実かつ簡単に装着できるものである。
【００１５】
第２の発明は、特に第１の発明の前記掃除機本体または前記集塵ケースには、前記床ノズルの吸込口を塞いだ際に作動する電動送風機の密閉保護装置が設けられ、前記第２リブ部を複数個に分割し、この分割によりできた隣接する前記第２リブ部間の開口部の側方向の総面積が、前記電動送風機の密閉保護装置の開口部面積以上になるよう設定したアップライト型電気掃除機としたものであり、掃除機本体の吸引口の前面が紙あるいはフィルム
状の異物で覆われ空気の流れが阻害された場合においても、隣接する複数の第２リブ部間の開口部から空気が流入し、電動送風機の異常発熱を未然に防ぐことができるものである。その際、第２リブ部間の開口部からの空気の流入量は、複数の第２リブ部間の開口部の側方向の面積の総和が、密閉保護装置の開口面積以上に設定することで、電動送風機の保護に充分な風量が得られ、電動送風機の異常発熱をより安全性を高くして未然に防ぐことができる。
【００１６】
以下、本発明の実施の形態について、図面を参照しながら説明する。なおこの実施の形態によって本発明が限定されるものではない。
【００１７】
（実施の形態１）
図１は、本発明の実施の形態１におけるアップライト型掃除機の正面図、図２は同アップライト型電気掃除機の側面図であり、図３は同アップライト型電気掃除機の本体吸引口の要部の正面図、図４（ａ）はフィルター保持体の側面図、図４（ｂ）はフィルター保持体の正面図、図４（ｃ）はフィルター保持体の斜視図である。
【００１８】
図１、２において、１は本実施の形態１におけるアップライト型電気掃除機の掃除機本体であり、電動送風機２を収納する電動送風機室３を具備し、一端が前記電動送風機室３の吸込み側と連通し、他端が本体吸引口５と連通して形成された本体吸引通路４を有している。６は掃除機本体１の下方に回動自在に保持され塵埃を吸引する吸込み口を具備した床ノズルである。７は、図６に示す掃除機本体１の集塵室２４に着脱可能に保持される塵埃を集塵する集塵ケースであり、集塵ケース７には前記本体吸引口５と連通する吸気口８を有している。
【００１９】
つぎに図３において、９は、軟質材でできた環状パッキンであり、本体吸引口５に隙間なく係合され、掃除機本体１に集塵ケース７を装着したとき、集塵ケースの吸気口８と密着し、掃除機本体１と集塵ケース７との隙間からの空気の流入を阻止する。
【００２０】
つぎに図４において、１０は本体吸引口５に係合し、塵埃・異物の電動送風機２への侵入を阻止する目的のフィルター（図示せず）を保持するためのフィルター保持体である。フィルター保持体１０は、フィルターを保持するための格子形状の開口部２５と、開口部２５周囲の連続した第１リブ部１１と、第１リブ部に繋がり本体吸引口５とは反対側に延出した第２リブ部１２を有している。前記第２リブ部１２は前記フィルター保持体１０の下辺を除く範囲に設けられている。
【００２１】
以上のように構成された本実施の形態におけるアップライト型電気掃除機について、以下その動作、作用を説明する。
【００２２】
図６は、掃除機本体１から集塵ケース７を外した状態で運転させた状態を示したものであり、図６に示すように、誤使用により集塵ケース７を外した状態で掃除機本体１を運転し、本体吸引口５が紙あるいはフィルム状の異物で覆われた場合、フィルター保持体１０の前面が塞がれ空気の流入が阻害される。しかし本発明の掃除機では、フィルター保持体１０の第２リブ部１２間の開口部２６から空気が流入する。これにより電動送風機２が冷却され、電動送風機２の異常発熱を未然に防ぐことができる。
【００２３】
つぎに図７に示すように、集塵ケース７の取っ手部１８を持ち、集塵ケース７を掃除機本体１に装着する場合、集塵ケース７の吸気口８の通過する軌跡が通常の軌跡より、左右あるいは上下にずれた場合、集塵ケース７の吸気口８は環状のパッキン９と位置ずれを起こし通常の係合ができないが、フィルター保持体１０の第２リブ部１２により、集塵ケース７の吸気口８が環状のパッキン９と係合する直前に位置ずれを矯正する位置規制として
機能するため通常の係合ができる。
【００２４】
また、集塵ケース７の取っ手部１８を持ち集塵ケース７の下部を支点とした回転動作で集塵ケース７を掃除機本体１に装着した場合において、集塵ケース７の吸気口８の下辺と第２リブ部１２との干渉が想定されるが、前記第２リブ部１２をフィルター保持体１０の開口部２５の下辺を除く範囲に設けられていることにより干渉を避けスムーズに装着することができる。
【００２５】
（実施の形態２）
本発明の実施の形態２における電気掃除機について説明する。
以下、実施の形態１と同一部分については同一符号を付して説明を省略する。
【００２６】
図４においてフィルター保持体１０における第２リブ部１２が隣接しあう間の開口部２６の側面方向での面積を、各々Ｓ１、Ｓ２、Ｓ３として示している。そして、このＳ１、Ｓ２、Ｓ３の各々の面積の総和をＳａとする。
【００２７】
図５（ａ）は同、アップライト型掃除機の密閉保護装置の側面図、図５（ｂ）は、正面図である。図５において、電動送風機２の密閉保護装置１３は、掃除機本体１または集塵ケース７に具備されている。密閉保護装置１３は、枠体Ｃ１４と、枠体Ｄ１５と、集塵ケース７の密閉状態により伸縮するバネ体１６と、枠体Ｃ１４の開口部２７を開閉する弁１７からなる。集塵ケース７がごみ詰まり等で密閉状態になった場合、真空度が高まり、弁１７が開き空気を流入する。そして開口部２７を塞いでいた弁１７が開いてできる密閉保護装置１３の開口面積をＳｂとする。
【００２８】
以上のように構成された本実施の形態２におけるアップライト型電気掃除機についての動作、作用を説明する。
【００２９】
図６に示すように前記本体吸引口５が紙などで塞がれた状態の場合においては、フィルター保持体１０の第２リブ部１２間の開口部２６から空気が流入する。これにより電動送風機２が冷却され、電動送風機２の異常発熱を未然に防ぐことができる。その際の開口部２６からの空気の流入量は、第２リブ部１２間の開口部２６の面積の総和Ｓａを、密閉保護装置１３の開口面積Ｓｂ以上に設定することで、電動送風機の保護に充分な風量が得られ、特に前記第２リブ部の開口部の側方向の総面積が、前記電動送風機密閉保護装置の開口部面積以上に設定されているため、電動送風機の異常発熱をより安全性を高くして未然に防ぐことができるものである。
【産業上の利用可能性】
【００３０】
以上のように、本発明にかかるアップライト型電気掃除機は、誤使用で集塵ケースを外した状態のまま運転され、掃除機本体の吸引口が紙などで塞がれた場合での電動送風機の異常発熱を防ぐことができるもので、汎用性の高い構成であり、家庭用、業務用の各種電気掃除機にも適用できる。
【符号の説明】
【００３１】
１  掃除機本体
２  電動送風機
３  電動送風機室
４  本体吸引通路
５  本体吸引口
６  床ノズル
７  集塵ケース
８  吸気口
１０  フィルター保持体
１１  第１リブ部
１２  第２リブ部
１３  密閉保護装置
２４  集塵室
２５  開口部
２６  開口部
２７  開口部
【図１】
2013226222.tif 000003
【図２】
2013226222.tif 000004
【図３】
2013226222.tif 000005
【図４】
2013226222.tif 000006
【図５】
2013226222.tif 000007
【図６】
2013226222.tif 000008
【図７】
2013226222.tif 000009
【図８】
2013226222.tif 000010